(57)【要約】【課題】  情報端末機器の電話帳とメールフォルダに関して更に使い易いものを提供する。【解決手段】  受信・送信メールにグループ番号を付与してグループ検索、削除、受信拒否・許可設定を出来るようにする。またメールのグループ番号の何れかにシークレット設定して登録相手からのメールを自動的にシークレット登録する。また電話帳非登録者のメールフォルダを設定して受信拒否や削除を容易に出来るようにする。また受信メールに処理メッセージを自動的に添付してシークレット登録・保護登録・削除操作を容易にできるようにする。指定の相手との送信メールと受信メールを抽出して今までの交信記録を一覧に表示させ経過が一目で分かるようにする。電話帳登録者および非登録者からの受信メールにグループ番号を付与して保存する。また電話帳登録者および非登録者への送信メールにもグループ番号を付与して保存し、グループ番号指定による表示手段を設ける。【選択図】図１
2005020684.tif 000002
【特許請求の範囲】
【請求項１】
通信機能を有する情報端末機器において、
電話帳登録者にグループ番号を設定する手段を有し、
電話帳登録者からの受信メールに前記グループ番号を付与する手段と、
電話帳登録者への作成メールと送信メールに前記電話帳のグループ番号を付与する手段と、
を備えたことを特徴とするメール保存システム。
【請求項２】
通信機能を有する情報端末機器において、
電話帳登録者または電話帳非登録者にグループ番号を設定する手段を有し、
電話帳登録者からの受信メールに前記登録者のグループ番号を付与し、電話帳非登録者からの受信メールには非登録者のグループ番号を付与する手段と、
電話帳登録者への作成メールと送信メールに前記登録者のグループ番号を付与し、電話帳非登録者への作成メールまたは送信メールに非登録者のグループ番号を付与する手段と、
を備えたことを特徴とするメール保存システム。
【請求項３】
通信機能を有する情報端末機器において、
電話帳登録者にグループ番号を設定する手段を有し、
電話帳登録者からの受信メールに前記グループ番号を付与する手段と、
電話帳登録者への作成メールと送信メールに前記電話帳のグループ番号を付与する手段と、
全受信メールまたは全送信メールの呼び出し手段とグループ番号呼び出しの選択手段を有し、
全受信メールまたは全送信メール呼び出しを実行すると全受信メールまたは全送信メールが一覧表示され、グループ番号呼び出しを実行すると選択されたグループ番号の送信メールまたは受信メールだけが表示される手段と、
を備えたことを特徴とするメール表示システム。
【請求項４】
通信機能を有する情報端末機器において、
電話帳登録者にグループ番号を設定する手段を有し、
電話帳登録者からの受信メールに前記グループ番号を付与する手段と、
電話帳登録者への作成メールと送信メールに前記電話帳のグループ番号を付与する手段と、
全受信メールまたは全送信メールの呼び出し手段とグループ番号呼び出しの選択手段を有し、
全受信メールまたは全送信メール呼び出しを実行すると全受信メールまたは全送信メールが一覧表示され、グループ番号呼び出しを実行すると選択されたグループ番号の送信メールまたは受信メールだけが表示される手段と、
グループ番号を選択して削除設定すると選択されたグループ番号のメール全てが削除される手段と、
を備えたことを特徴とするメール保存システム。
【請求項５】
通信機能を有する情報端末機器において、
電話帳登録者にグループ番号を設定する手段を有し、
グループ番号の何れかにシークレット設定をし、
シークレット登録者からの受信メールは前記シークレット番号を付与し、またシークレット登録者への作成メールまたは送信メールは自動的にシークレット番号を付与して保存される手段と、
前記シークレット登録された受信メールまたは作成メール、送信メールを呼び出すときは暗証番号の入力を必要とし一致した時のみ呼び出し可能となる手段と、
を備えたことを特徴とするメール保存システム。
【請求項６】
通信機能を有する情報端末機器において、
電話帳登録者にグループ番号を設定する手段を有し、
グループ番号の何れかにシークレット設定と着信拒否設定と非登録設定をして、
シークレット登録の相手からの受信メールは前記シークレット番号を付与し、着信拒否設定の相手からのメールは受信拒否し、非登録者からの受信メールは非登録番号を付与して登録となる手段と、
を備えたことを特徴とするメール保存システム。
【請求項７】
通信機能を有する情報端末機器において、
電話帳登録者にグループ番号を設定する手段を有し、
グループ番号の何れかにシークレット設定と通常設定と非登録設定と着信拒否設定をして、
電話帳のグループを前記シークレットグループ、通常グループ、非登録グループおよび着信拒否グループの４グループに区分し、
メールおよび音声の受信許可または受信拒否を４グループの中から選択して設定する手段と、
を備えたことを特徴とする保存システム。
【請求項８】
通信機能を有する情報端末機器において、
受信メールまたは送信メール表示中にシークレット登録有無と保護登録有無と削除有無を問い合わせるメッセージ（以下処理メッセージという）の何れかを表示させる手段と、
シークレット登録有りを実行するとシークレット登録され呼び出す時は暗証番号の入力を必要とし一致した時のみ呼び出し可能とし、保護登録有りを実行すると保護登録され、削除を実行するとその時点で削除される手段と、
を備えたことを特徴とするメール保存システム。
【請求項９】
通信機能を有する情報端末機器において、
メールの相手先名を入力する手段を有し、
前記相手先からの受信メールを全受信メールフォルダより抽出する手段と、
前記相手先への送信メールを全送信メールフォルダより抽出する手段と、
抽出した受信メールと送信メールを一覧に表示（以下往復メッセージという）する手段と、
を備えたことを特徴とするメール保存システム。
【請求項１０】
通信機能を有する情報端末機器において、
電話帳登録者にグループ番号を設定する手段を有し、
電話帳登録者からの受信メールに前記グループ番号を付与する手段と、
電話帳登録者への作成メールと送信メールに前記グループ番号を付与する手段と、
前記受信メールおよび作成メールと送信メールをそれぞれグループ番号毎に保管する手段と、
を備えたことを特徴とするメール保存システム。
【請求項１１】
通信機能を有する情報端末機器において、
電話帳非登録者にグループ番号を設定する手段を有し、
電話帳非登録者からの受信メールに非登録者のグループ番号を付与する手段と、
電話帳非登録者への作成メールまたは送信メールに非登録者のグループ番号を付与する手段と、
を備えたことを特徴とするメール保存システム。
【請求項１２】
通信機能を有する情報端末機器において、
電話帳登録者および非登録者にグループ番号を設定する手段を有し、
電話帳登録者および非登録者からの受信メールに前記グループ番号を付与する手段と、
電話帳登録者および非登録者への作成メールと送信メールに前記グループ番号を付与する手段と、
全受信メールまたは全送信メールの呼び出しとグループ番号呼び出しの選択手段を有し、
全受信メールまたは全送信メール呼び出しを実行すると全受信メールまたは全送信メールが一覧表示され、グループ番号呼び出しを実行すると選択されたグループ番号の受信メールまたは送信メールだけが表示される手段と、
を備えたことを特徴とするメール保存システム。
【請求項１３】
通信機能を有する情報端末機器において、
電話帳登録者および非登録者にグループ番号を設定する手段を有し、
電話帳登録者および非登録者からの受信メールに前記グループ番号を付与する手段と、
電話帳登録者および非登録者への作成メールと送信メールに前記グループ番号を付与する手段と、
全受信メールまたは全送信メールの呼び出しとグループ番号呼び出しの選択手段を有し、
全受信メールまたは全送信メール呼び出しを実行すると全受信メールまたは全送信メールが一覧表示され、グループ番号呼び出しを実行すると選択されたグループ番号の受信メールまたは送信メールだけが表示される手段と、
グループ番号を選択して削除すると選択されたグループ番号のメール全てが削除される手段と、
を備えたことを特徴とするメール保存システム。
【請求項１４】
通信機能を有する情報端末機器において、
電話帳非登録者からの電話またはメールの受信を拒否する手段と、
を備えたことを特徴とする保存システム。
【請求項１５】
通信機能を有する情報端末機器において、
電話帳登録者と非登録者からの電話とメールの受信の拒否設定を選択する手段と、
を備えたことを特徴とする保存システム。
【請求項１６】
通信機能を有する情報端末機器において、
電話帳受信拒否設定者と電話帳非登録者からの電話とメールの受信の拒否設定を選択する手段と、
を備えたことを特徴とする保存システム。
【発明の詳細な説明】
【技術分野】
【０００１】
本発明は、通信機能を有する情報端末機器の電話帳とメールフォルダ関するもので、詳しくはメールの受信、保存、削除、表示方法等に関するものである。
【背景技術】
【０００２】
近年、携帯電話機等の情報通信機器は、電子メールで文字・画像・メロディ等を送信し、受信者はそれらの情報を編集して更に別の相手に送信（転送）することも可能である。受信メール、送信メールの保存件数には制限（受信文２００件、送信文５０件程度）があり、それを超えると自動的に古いものから削除される仕組みになっている。そのためユーザーはそれらの情報を適宜削除したり、削除されないように保護登録をしたり、シークレット登録をして他人に見られないようにしていた。また電話の受信許可設定と拒否設定は電話帳に登録する必要があり大変煩わしいものであった。
【０００３】
従来の情報端末機器のメールフォルダは一覧メールフォルダ形式で、いろいろな相手からのメールが受信順に保存されていた。携帯電話機では一日に数十件、パソコンでは数百件受信のユーザーもいる。これらの中から緊急連絡には直ぐ対応し、重要メールは大切に保存し、他人に内緒のメールは直ぐシークレット登録をしていたが、検索・保存・保護登録等に多くの時間を要していた。
【特許文献１】特開２００２−３２３１５
【発明の開示】
【発明が解決しようとする課題】
【０００４】
前述の課題に対して様々な方法が提案されているがユーザー一人ひとりに対して、また時と場合に応じた使用方法を提案するに至っていなかった。
【０００５】
本発明は、上記事情に鑑みてなされたもので、先に出願した「特願２００３−０１５５５３」、および「特願２００３−１５３９２１」に関するもので、詳しくは電話およびメールの受信設定、また受信したメールの検索、更にメールの削除を容易にすることを目的とする。
【課題を解決するための手段】
【０００６】
本発明は、通信機能を有する情報端末機器において、電話帳登録者にグループ番号を設定する手段を有し、電話帳登録者からの受信メールに前記グループ番号を付与する手段と、電話帳登録者への作成メールと送信メールに前記電話帳のグループ番号を付与するようにしたものである。
ここでの電話帳とは、携帯電話機等の「電話番号・メールアドレス帳」およびパソコン等のメールを専用とする「メールアドレス帳」の両方をいう。
【０００７】
また本発明は、電話帳登録者または電話帳非登録者にグループ番号を設定する手段を有し、電話帳登録者からの受信メールに前記登録者のグループ番号を付与し、電話帳非登録者からの受信メールには非登録者のグループ番号を付与する手段と、電話帳登録者への作成メールと送信メールに前記登録者のグループ番号を付与し、電話帳非登録者への作成メールまたは送信メールに非登録者のグループ番号を付与するようにしたものである。
作成メールとは作成中のもので、送信未完了のものをいう。
【０００８】
また本発明は、電話帳登録者にグループ番号を設定する手段を有し、電話帳登録者からの受信メールに前記グループ番号を付与する手段と、電話帳登録者への作成メールと送信メールに前記電話帳のグループ番号を付与する手段と、全受信メールまたは全送信メールの呼び出し手段とグループ番号呼び出しの選択手段を有し、全受信メールまたは全送信メール呼び出しを実行すると全受信メールまたは全送信メールが呼び出しされ、グループ番号呼び出しを実行すると選択されたグループ番号の送信メールまたは受信メールだけが表示されるようにしたものである。
【０００９】
また本発明は、電話帳登録者にグループ番号を設定する手段を有し、電話帳登録者からの受信メールに前記グループ番号を付与する手段と、電話帳登録者への作成メールと送信メールに前記電話帳のグループ番号を付与する手段と、全受信メールまたは全送信メールの呼び出し手段とグループ番号呼び出しの選択手段を有し、全受信メールまたは全送信メール呼び出しを実行すると全受信メールまたは全送信メールが呼び出しされ、グループ番号呼び出しを実行すると選択されたグループ番号の送信メールまたは受信メールだけが表示される手段と、グループ番号を選択して削除設定すると選択されたグループ番号のメール全てが削除されるようにしたものである。
ここでの「削除」とはパソコンで採用されているゴミ箱への削除すなわち復帰可能な一時的削除も含むものとする。
【００１０】
また本発明は、電話帳登録者にグループ番号を設定する手段を有し、グループ番号の何れかにシークレット設定をし、シークレット登録者からの受信メールは前記シークレット番号を付与し、またシークレット登録者への作成メールまたは送信メールは自動的にシークレット番号を付与して保存される手段と、前記シークレット登録された受信メールまたは作成メール、送信メールを呼び出すときは暗証番号の入力を必要とし一致した時のみ呼び出し可能となるようにしたものである。
【００１１】
また本発明は、電話帳登録者にグループ番号を設定する手段を有し、グループ番号の何れかにシークレット設定と着信拒否設定と非登録設定をして、シークレット登録の相手からの受信メールは前記シークレット番号を付与し、着信拒否設定の相手からのメールは受信拒否し、非登録者からの受信メールは非登録番号を付与して登録となるようにしたものである。
【００１２】
また本発明は、電話帳登録者にグループ番号を設定する手段を有し、グループ番号の何れかにシークレット設定と通常設定と非登録設定と着信拒否設定をして、電話帳のグループを前記シークレットグループ、通常グループ、非登録グループおよび着信拒否グループの４グループに区分し、メールおよび音声の受信許可または受信拒否を４グループの中から選択して設定するようにしたものである。
【００１３】
また本発明は、受信メールまたは送信メール表示中にシークレット登録有無と保護登録有無と削除有無を問い合わせるメッセージの何れかを表示させる手段と、シークレット登録有りを実行するとシークレット登録され呼び出す時は暗証番号の入力を必要とし一致した時のみ呼び出し可能とし、保護登録有りを実行すると保護登録され、削除を実行するとその時点で削除されるようにしたものである。
【００１４】
また本発明は、メールの相手先名を入力する手段を有し、前記相手先からの受信メールを全受信メールフォルダより抽出する手段と、前記相手先への送信メールを全送信メールフォルダより抽出する手段と、抽出した受信メールと送信メールを一覧に表示するようにしたものである。
ここで言う「相手先名入力」とは電話帳からの呼び出し、メールアドレス直接入力、また往復メッセージのプログラムの中に予めユーザーが相手先名を入力しておく方法もある。相手先がシークレット登録の時は暗証番号の入力を必要とし一致した時のみ呼び出し可能となる。また相手先名と本人名を短縮名で表示させるのが良い。短縮名は予め電話帳に登録しておくものとする。
【００１５】
また本発明は、通信機能を有する情報端末機器において、電話帳登録者にグループ番号を設定する手段を有し、電話帳登録者からの受信メールに前記グループ番号を付与する手段と、電話帳登録者への作成メールと送信メールに前記グループ番号を付与する手段と、前記受信メールおよび作成メールと送信メールをそれぞれグループ番号毎に保管するようにしたものである。
ここでいう電話帳とは、携帯電話等の「電話番号メールアドレス帳」およびパソコン等のメールを専用とする「メールアドレス帳」の両方をいう。また作成メールとは作成中のもので、送信未完了のものをいう。
【００１６】
また本発明は、通信機能を有する情報端末機器において、電話帳非登録者にグループ番号を設定する手段を有し、電話帳非登録者からの受信メールに非登録者のグループ番号を付与する手段と、電話帳非登録者への作成メールまたは送信メールに非登録者のグループ番号を付与するようにしたものである。
【００１７】
また本発明は、通信機能を有する情報端末機器において、電話帳登録者および非登録者にグループ番号を設定する手段を有し、電話帳登録者および非登録者からの受信メールに前記グループ番号を付与する手段と、電話帳登録者および非登録者への作成メールと送信メールに前記グループ番号を付与する手段と、全受信メールまたは全送信メールの呼び出しとグループ番号呼び出しの選択手段を有し、全受信メールまたは全送信メール呼び出しを実行すると全受信メールまたは全送信メールが一覧表示され、グループ番号呼び出しを実行すると選択されたグループ番号の受信メールまたは送信メールだけが表示されるようにしたものである。
【００１８】
また本発明は、通信機能を有する情報端末機器において、電話帳登録者および非登録者にグループ番号を設定する手段を有し、電話帳登録者および非登録者からの受信メールに前記グループ番号を付与する手段と、電話帳登録者および非登録者への作成メールと送信メールに前記グループ番号を付与する手段と、全受信メールまたは全送信メールの呼び出しとグループ番号呼び出しの選択手段を有し、全受信メールまたは全送信メール呼び出しを実行すると全受信メールまたは全送信メールが一覧表示され、グループ番号呼び出しを実行すると選択されたグループ番号の受信メールまたは送信メールだけが表示される手段と、グループ番号を選択して削除すると選択されたグループ番号のメール全てが削除されるようにしたものである。ここでいう削除には転送による消滅も含むものとする。
【００１９】
また本発明は、通信機能を有する情報端末機器において、電話帳非登録者からの電話またはメールの受信を拒否するようにしたものである。
【００２０】
また本発明は、通信機能を有する情報端末機器において、電話帳登録者と非登録者からの電話とメールの受信の拒否設定を選択するようにしたものである。
【００２１】
また本発明は、通信機能を有する情報端末機器において、電話帳受信拒否設定の相手と電話帳非登録者からの電話とメールの受信の拒否設定を選択するようにしたものである。
【発明の効果】
【００２２】
上述したように本発明によれば、メールの呼び出しにおいて従来の操作性を維持しながら希望するグループ番号のメールだけを呼び出すことが可能である。また電話帳非登録者からの広告メールや知らない相手からのメールを拒否することが出来る。またメールのフォルダ単位での削除が可能である。またシークレット登録者からの受信メールを自動的にシークレットフォルダに保存し他人に容易に見られないようにすることが出来る。また電話帳非登録者からの受信メールをそのまま非登録者のフォルダに保存、検索、削除等が可能である。また受信メールと送信メールを簡単にシークレット登録・保護・削除ができる。また指定の相手との受信メールと送信メールが一覧画面で確認することが出来る。
【発明を実施するための最良の形態】
【００２３】
以下、図面を参照して本発明の実施の形態を説明する。本発明は主として通信機能を有する情報端末機器に適用されるものであり、本実施形態では携帯電話機の構成を例にして説明を行う。図１は本発明の一実施形態に係る携帯電話機の構成を示すブロック図である。
【００２４】
本実施形態の携帯電話機は、アンテナ１０１、アンテナ共用器１０２、受信部１０３、発信部１０４、制御部１０５、音声部１０６、スピーカ１０７、マイク１０８、バイブレータ１０９、駆動回路１１０、内蔵電池１１１、メモリ１１２、ＳＲＡＭ１１３、ＦＲＯＭ１１４、電話帳１１４ａ、メールフォルダ１１４ｂ、ＤＲＡＭ１１５、表示部１１６、入力操作部１１７、電源ＩＣ１１８、ベースバンドＩＣ１１９、時計ＩＣ１２０、水晶１２１、ＦＥＴ１２２、充電アダプタ１２３、電池パック１２４を有して構成される。
【００２５】
通話時には、アンテナ１０１で受信された受信信号がアンテナ共用器１０２を介して受信部１０３に入力されて復調される。この復調信号はベースバンドＩＣ１１９で復号化などの処理がなされた後、音声部１０６によりアナログ化されて受話用のスピーカ１０７より音声出力される。一方、送話用のマイク１０８より入力された通話音声は音声部１０６より音声情報としてベースバンドＩＣ１１９に送られて符号化などの処理がなされる。符号化された送信データは発信部１０４で変調されて電力増幅され、アンテナ共用器１０２を介してアンテナ１０１から送信される。
【００２６】
表示部１１６は、液晶表示パネル（ＬＣＤ）等からなり、通常、現在の日付や時刻、受信感度、電話帳呼び出し時の名前一覧、着信履歴表示、発信履歴表示、着信時の着信表示などを表示する。さらにユーザーがボタン操作で入力した電話番号や暗証番号なども表示される。
【００２７】
図２はグループ番号を付与した受信メールを表形式にして表わしたものである。左から、受信順に割り当てられた番号、既読・未読を表わす状態、保護登録の有無、受信日時、相手先メールアドレス、題名、本文、メロディや画像等の添付表示、それにグループ番号である。このグループ番号が本発明のものである。上の表は太郎の受信メール、下の表は花子の受信メールを表わす。また「受信メール読む」から「グループ番号」選択の時は同じグループ番号となるのでこの番号欄は不要となる。
【００２８】
図３はメールを読む手順をフローチャート形式で表わしたもので、フローは上から下へ進むように表わしている。
まずユーザーは入力操作部１１７を操作して開始３０１からメールを読む３０２を経て受信メール３１０を選択して次に一覧受信メール３１１を選択・実行（以下実行を省略）すると全受信メール３１２が表示される。これは全受信メールを一覧形式で表示されたもので題名やアドレス等が表示されている。また受信メール３１０から受信グループ１・３１３を選択すると通常登録グループ３１４が表示される。これは電話帳に通常登録された相手からの受信メールである。また受信メール３１０から受信グループ２・３１５を選択すると暗証番号入力画面３１６になり、暗証番号を入力し一致するとシークレット登録グループ３１７が表示される。これは電話帳にシークレット登録された相手からの受信メールである。受信メール３１０から受信グループ３・３１８を選択すると受信拒否グループ３１９が表示される。これは受信拒否設定を解除したときに受信されたメールで、通常は受信拒否設定されているので受信されない。受信メール３１０から受信グループ４・３２０を選択すると非登録グループ３２１が表示される。これは電話帳非登録者からの受信メールである。
また、開始３０１からメールを読む３０２を経て送信メール３３０を選択して次に一覧送信メール３３１を選択すると全送信メール３３２が表示される。これは全送信メールを一覧形式で表示されたものである。また送信メール３３０から送信グループ１・３３３を選択すると通常登録グループ３３４が表示される。これは通常登録された相手への送信メールである。更に送信メール３３０から送信グループ２・３３５を選択すると暗証番号入力画面３３６になり、暗証番号入力し一致するとシークレット登録グループ３３７が表示される。これはシークレット登録された相手への送信メールである。送信メール３３０から送信グループ３・３３８を選択すると受信拒否グループ３３９が表示される。これは受信拒否設定の相手への送信メールである。送信メール３３０から送信グループ４・３４０を選択すると非登録グループ３４１が表示される。これは電話帳非登録者への送信メールである。
以上の説明から、受信メール３１０から一覧受信メール３１１または各受信グループ１・３１３、２・３１５、３・３１８、４・３２０を選択することが可能である。また送信メール３３０から一覧送信メール３３１または各送信グループ１・３３３、２・３３５、３・３３８、４・３４０を選択することが可能である。
また電話帳非登録者を電話帳登録することによってメールのフォルダも自動的に登録者のフォルダに移動するものとする。
【００２９】
図４は電話帳のグループ番号とメールフォルダの関係を表わしたものである。  電話帳４０１にはグループ１・４０３、グループ２・４０４、グループ３・４０５の３グループがあり、電話帳呼び出し時グループ番号呼び出しとして現在利用されている。
受信メール４１１には電話帳登録者４１２と電話帳非登録者４１６が、電話帳登録者４１２には受信グループ１・４１３、受信グループ２・４１４、受信グループ３・４１５が、また電話帳非登録者４１６には受信グループ４・４１７が下層に属している。
送信メール４２１には電話帳登録者４２２と電話帳非登録者４２６が、電話帳登録者４２２には送信グループ１・４２３、送信グループ２・４２４、送信グループ３・４２５が、また電話帳非登録者４２６には送信グループ４・４２７が下層に属している。
受信グループ１・４１３には電話帳のグループ１・４０３の登録者からのメールが保存される。また送信グループ１・４２３には電話帳のグループ１・４０３に登録の相手へのメールが保存される。
また受信グループ４・４１７と送信グループ４・４２７は電話帳非登録者とのメールフォルダである。電話帳非登録者からの受信メールは自動的にこの受信グループ４・４１７に保存される。また電話帳非登録者への送信メールは自動的にこの送信グループ４・４２７に保存されるが、この相手が電話帳に登録されると電話帳登録者のグループフォルダに移送される。以上のことから電話帳のグループ番号とメールフォルダの番号は同じグループからのメールであることが分かる。
特に親しい相手だけを管理するときは電話帳のグループ番号に親しい相手だけを登録すれば達成出来る。
通常、電話帳４０１には全登録者を２０程度のグループに区分し約７００件程度登録されるがここでは３グループとして説明した。電話帳登録者４０２はメールフォルダ４１１、４２１を説明するために記載したもので、使用上特に意識するものではない。
【００３０】
図５は受信メールに処理メッセージを添付した時の表示例で、上段に受信メール５０１、下段に処理メッセージ５０２を示す。受信メール５０１には発信人アドレスと題名と本文が、処理メッセージ５０２にはシークレット登録有無、保護登録有無、削除有無の処理内容が表示されている。処理内容の先頭にはラジオボタンがあり、受信者はどれかを選択・確定し最下段の決定ボタン５０３を押下すると選択された処理内容が実行される仕組みになっている。すなわちシークレット登録を実行すると図３のシークレット登録グループ３１７にそのまま登録され呼び出しは暗証番号の入力を必要とし一致した時のみ呼び出し可能となるようにしたものである。保護登録を実行するとユーザーが削除しない限り永久保存される。削除を実行すると直ちに削除となる。図５では、「シークレット登録」が選択されているが、この処理でＯＫの場合は確定し最下段の決定ボタン５０３にカーソルを合わせ実行すると保存される。別の選択をする場合はカーソルキーで上下に移動させ、選択を変更することが出来る。処理メッセージ５０２はＦＲＯＭ１１４に保存されメール文を表示する時に自動的に添付され、決定操作未完了の時は従来と同じ処理となる。「実行」とは選択、確定、決定の三操作をいう。
また処理メッセージ５０２の表示を「ＯＦＦ」に、または必要に応じて２件、１件としても良い。
【００３１】
図６は受信の許可設定と拒否設定の種類を表にした一例である。設定はまず許可か拒否を選択してその中から「全て」、「１」、「２」、「３」の何れかを選択する。表には許可、拒否、○、×の４種類で表記されているが、実質許可か拒否の２種類である。限定許可１は最も大切なシークレット登録の相手からのみ受信しようと設定する場合でこれは限定拒否３の通常登録グループ・非登録グループ・受信拒否グループの受信拒否と全く同じ設定である。ユーザーは時と場合に応じて適宜設定を分かり易い方法で設定や設定変更することが出来る。本設定は電話（音声）およびメールの設定に有効で、両方同時に連動しても良い、また双方別々の設定をしても良いものである。
【００３２】
図７は往復メッセージの表示例である。最上段には往復メッセージと相手先のアドレスが表示され、次に発信文と受信文が交互に時系列に表示されている。受信文には着信日時・相手先短縮名・本文が、また送信文には送信日時・ユーザーの短縮名・本文が表示されている。長文や保存件数が多い時ときはカーソルキーの操作で順次送り出して表示することが可能である。
【００３３】
図８の上段は全受信メールを表形式にして表わしたものである。左から受信順に割り当てられた番号、既読・未読を表わす状態、保護登録の有無、受信日時、相手先メールアドレス、題名、本文、メロディや画像等の添付表示、それに本発明のグループ番号が付与される。
中段はグループ４の受信メールである。グループ番号を指定して呼び出しているので最右列のグループ欄は不要であるが分かり易くするために表記した。グループ４は電話帳非登録者のフォルダであり「広告」メール等が一覧できる。これによってユーザーはグループ４を呼び出してフォルダ内の全受信メールを削除することが出来る。
下段はグループ４の全受信メールを削除した後の全受信メール一覧表である。グループ４以外のグループの受信メールが表示されている。
送信メールにおいても同様である。
【００３４】
図９は電話帳登録者と非登録者の音声とメール受信の拒否設定を表わした一例である。設定１は電話帳登録者、非登録者の何れからの電話およびメールを許可する場合である。また設定６は全ての相手からの電話とメールを拒否する場合である。このようにユーザーはその場の状況に応じて電話帳登録者と非登録者に対する電話とメール受信の拒否設定を選択して設定することができる。
【００３５】
図１０は電話帳受信拒否設定者と電話帳非登録者の音声とメール受信の拒否設定を表わした一例である。設定１は電話帳受信拒否設定者、電話帳非登録者の何れからの電話およびメールを許可する場合である。また設定６は全ての相手からの電話とメールを拒否する場合である。このようにユーザーはその場の状況に応じて電話帳登録者と非登録者に対する電話とメール受信の拒否設定を選択して設定することができる。
【００３６】
以上の説明から、工場出荷時に予め電話帳にグループ番号を設定し、更に受信メールと送信メールにシークレット登録グループ・着信拒否グループ・通常グループ・非登録グループを設定し、処理メッセージと往復メッセージ表示のプログラムを格納し、ユーザーは設定に従って電話帳登録をすると受信メールと送信メールは自動的に該当するメールフォルダに保存され、着信許可・拒否設定によって設定通りの動作がなされ、相手先を入力し往復メッセージ表示の動作ＯＮにすると相手先とのメール履歴が一覧表で表示されるものである。また受信メールを表示させると自動的に処理メッセージが表示され、受信メールに適切な処理を行うことができる。
【図面の簡単な説明】
【００３７】
【図１】本発明の一実施形態に係る携帯電話機の構成を示すブロック図である。
【図２】本発明の一実施形態に係る受信メールにグループ番号を付与した例である。
【図３】本発明の一実施形態に係るメールを読む手順を示すフローチャート図である。
【図４】本発明の一実施形態に係る電話帳のグループと分割メールフォルダの関係図である。
【図５】本発明の一実施形態に係る受信メールに処理メッセージを添付した例である。
【図６】本発明の一実施形態に係るメールの許可設定と拒否設定を表わしたものである。
【図７】本発明の一実施形態に係る往復メッセージ表示画面である。
【図８】本発明の一実施形態に係る全受信メール一覧と特定グループ番号呼び出し一覧および特定グループ番号のメール削除後の全受信メール一覧である。
【図９】本発明の一実施形態に係る電話帳登録者と非登録者における電話とメールの受信設定を表わしたものである。
【図１０】本発明の一実施形態に係る電話帳受信拒否設定者と電話帳非登録者における電話とメールの受信設定を表わしたものである。
【符号の説明】
【００３８】
１０１    アンテナ
１０２    アンテナ共用器
１０３    受信部
１０４    発信部
１０５    制御部
１０６    音声部
１０７    スピーカ
１０８    マイク
１０９    バイブレータ
１１０    駆動回路
１１１    内蔵電池
１１２    メモリ
１１３    ＳＲＡＭ（Static Random Access Memory）
１１４    ＦＲＯＭ（Flash Read Only Memory）
１１４ａ  電話帳  
１１４ｂ  メールフォルダ
１１５    ＤＲＡＭ（Dynamic Random Access Memory）
１１６    表示部
１１７    入力操作部
１１８    電源ＩＣ
１１９    ベースバンドＩＣ
１２０    時計ＩＣ
１２１    水晶
１２２    ＦＥＴ
１２３    充電アダプタ
１２４    電池パック
【図１】
2005020684.tif 000003
【図２】
2005020684.tif 000004
【図３】
2005020684.tif 000005
【図４】
2005020684.tif 000006
【図５】
2005020684.tif 000007
【図６】
2005020684.tif 000008
【図７】
2005020684.tif 000009
【図８】
2005020684.tif 000010
【図９】
2005020684.tif 000011
【図１０】
2005020684.tif 000012